(57)【特許請求の範囲】
【請求項１】
被写体像を撮像する撮像素子と、
前記撮像素子による撮像データを記憶する第１記憶手段と、
前記撮像素子に繰り返し撮像させ、前記撮像データを前記第１記憶手段に単位時間当たりＰコマのレートで蓄積させる撮影制御手段と、
前記撮像データによる再生像を表示する表示手段と、
前記第１記憶手段に蓄積された撮像データを逐次読出し、読出した撮像データによる再生像を前記Ｐコマの中から、これより少ないＳコマを取り出して単位時間当たりＳコマのレートで前記表示手段に逐次表示させる表示制御手段と、
指示に応じて、前記表示手段に表示中の再生像に対応する撮像データを記録媒体に記憶する第２記憶手段とを備え、
前記表示制御手段は、前記第１記憶手段に前記蓄積が行われているうちに前記第１記憶手段からの撮像データの読出し、および前記表示手段による再生像の表示制御を開始させることを特徴とする画像記録再生装置。
【請求項２】
請求項１に記載の画像記録再生装置において、
指示に応じて、前記表示手段に表示中の再生像に対応する撮像データを示す情報を生成する生成手段とをさらに備え、
前記第２記憶手段は、前記生成手段による生成情報によって示される撮像データを前記記録媒体に記憶することを特徴とする画像記録再生装置。
【請求項３】
請求項１に記載の画像記録再生装置において、
前記表示制御手段は、前記第１記憶手段への前記蓄積が終了後に前記第１記憶手段からの撮像データの読出し、および前記表示手段による再生像の表示制御を開始させることを特徴とする画像記録再生装置。
【請求項４】
請求項１〜請求項３のいずれか一項に記載の画像記録再生装置において、
前記指示は、シャッタ操作部材からの操作信号に基づくことを特徴とする画像記録再生装置。
【請求項５】
請求項１〜請求項４のいずれか一項に記載の画像記録再生装置において、
前記生成手段は、前記表示中の再生像に対応する撮像データのヘッダ部に情報を付加する、または前記表示中の再生像に対応する撮像データを示す情報を前記撮像データと別に生成することを特徴とする画像記録再生装置。
【請求項６】
請求項１〜請求項５のいずれか一項に記載の画像記録再生装置において、
前記第２記憶手段は、前記第１記憶手段に記憶された全画像データを前記記録媒体に記憶することを特徴とする画像記録再生装置。
【請求項７】
請求項１〜請求項６のいずれか一項に記載の画像記録再生装置において、
前記表示制御手段は、表示レート変更指示に応じて単位時間当たりの表示レートを変更することを特徴とする画像記録再生装置。
【請求項８】
請求項７に記載の画像記録再生装置において、
シャッタ操作部材からの操作信号によって前記表示レート変更指示が行われることを特徴とする画像記録再生装置。
【請求項９】
請求項１請求項８のいずれか一項に記載の画像記録再生装置において、
前記表示手段と別に、前記撮像データによる再生像を表示する第２表示手段をさらに備え、
前記表示制御手段はさらに、前記第１記憶手段に蓄積された撮像データを逐次読出し、読出した撮像データによる再生像を前記第２表示手段に単位時間当たり前記Ｐコマのレートで逐次表示させることを特徴とする画像記録再生装置。
【請求項１０】
請求項１〜請求項９のいずれか一項に記載の画像記録再生装置において、
前記表示制御手段はさらに、前記表示手段に再生像を表示させる際、撮像画像の中であらかじめ指示されている領域に対応する撮像データを前記第１記憶手段から逐次読出し、当該領域についての再生像を前記表示手段に大きく表示させることを特徴とする画像記録再生装置。
【請求項１１】
請求項１〜請求項１０のいずれか一項に記載の画像記録再生装置において、
前記撮影制御手段が撮影制御する場合に閃光装置の発光を禁止する禁止手段をさらに備えることを特徴とする画像記録再生装置。
【請求項１２】
請求項１〜請求項１１のいずれか一項に記載の画像記録再生装置において、
前記撮影制御手段は、撮影終了指示があるまで、前記表示制御手段による前記第１記憶手段からの撮像データの読出しおよび前記表示手段による再生像の表示制御が行われている間も、前記撮像素子に繰り返し撮像させ、前記撮像データを前記第１記憶手段に単位時間当たりＰコマのレートで蓄積させることを特徴とする画像記録再生装置。
【発明の詳細な説明】
【技術分野】
【０００１】
本発明は、撮影画像を記録および再生する装置に関する。
【背景技術】
【０００２】
速い動きをする被写体に対し、適切なシャッターチャンスの撮影画像を得る技術が知られている。特許文献１には、時間的に連続した静止画像からなる動画像を撮影中に、指示された瞬間の静止画像に識別情報を付加する技術が開示されている。
【０００３】
【特許文献１】特開２０００−２９５５６８号公報
【発明の開示】
【発明が解決しようとする課題】
【０００４】
従来の技術を用いてもなお、識別情報を正しく付加すること（すなわち、動画撮影中において被写体を適切にとらえた静止画像に対して付加する）ことは困難である。
【課題を解決するための手段】
【０００５】
請求項１に記載の画像記録再生装置は、被写体像を撮像する撮像素子と、撮像素子による撮像データを記憶する第１記憶手段と、撮像素子に繰り返し撮像させ、撮像データを第１記憶手段に単位時間当たりＰコマのレートで蓄積させる撮影制御手段と、撮像データによる再生像を表示する表示手段と、第１記憶手段に蓄積された撮像データを逐次読出し、読出した撮像データによる再生像をＰコマの中から、これより少ないＳコマを取り出して単位時間当たりＳコマのレートで表示手段に逐次表示させる表示制御手段と、指示に応じて、表示手段に表示中の再生像に対応する撮像データを記録媒体に記憶する第２記憶手段とを備え、表示制御手段は、第１記憶手段に蓄積が行われているうちに第１記憶手段からの撮像データの読出し、および表示手段による再生像の表示制御を開始させることを特徴とする。
【発明の効果】
【０００６】
本発明による画像記録再生装置では、繰り返し撮像されるデータから対象画像を確実に特定し、その識別情報を生成できる。
【発明を実施するための最良の形態】
【０００７】
以下、図面を参照して本発明を実施するための最良の形態について説明する。
（第一の実施形態）
図１は、本発明の第一の実施形態による電子カメラ１を説明する図である。図１において、撮影レンズ１１は複数のレンズによって構成される。撮影レンズ１１で集められた光束は、光路上に配設されているハーフミラー１２によって一部が上方へ反射される。反射光束はローパスフィルタ１３を透過した後に撮像素子１４に導かれる。
【０００８】
一方、ハーフミラー１２を透過した光束は測距素子１５に入射する。測距素子１５は、撮影画面内に設けられている１１点の測距領域のそれぞれにおいて、所謂瞳分割方式による測距情報（主要被写体に対する撮影レンズ１１のフォーカス調節状態の検出に用いる一対の像）を取得する。測距情報はＣＰＵ２５へ送出される。
【０００９】
ハーフミラー１２を挟んで撮像素子１４と対向する位置に、測光・測色素子３３が配設されている。上述したように、ハーフミラー１２によって上方へ反射された光束は撮像素子１４へ導かれるが、その一部は撮像素子１４で反射されて下方へ進み、ハーフミラー１２を透過して測光・測色素子３３に入射される。
【００１０】
測光・測色素子３３は、ＣＰＵ２５から送出される指示に応じて撮影レンズ１１を通過した光量を検出し、検出信号をＣＰＵ２５へ送出する。測光・測色素子３３の受光部には、たとえばＲＧＢ各色の色フィルタが設けられており、入射光の色成分比を検出（所謂測色）可能に構成されている。
【００１１】
撮像素子１４は、撮像面上に結像されている被写体像を撮像し、被写体像の明るさに応じた光電変換信号を出力する。ＡＤ変換部１６は、光電変換信号をディジタル信号に変換し、変換後のディジタルデータをバッファメモリ１７へ送出する。バッファメモリ１７は、画像処理前後および画像処理途中のデータを一時的に記憶する他、記録媒体２４へ記録する前の画像ファイルを記憶したり、記録媒体２４から読み出した画像ファイルを記憶したりするために使用される。
【００１２】
ＣＰＵ２５は、各ブロックから出力される信号を入力して所定の演算を行い、演算結果に基づく制御信号を各ブロックへ出力する。画像処理部１８は、バッファメモリ１７に記憶されたディジタル画像信号に対する画像処理を行う。画像処理には、たとえば、輪郭強調や色温度調整（ホワイトバランス調整）処理、画像信号に対するフォーマット変換処理等が含まれる。
【００１３】
ＣＰＵ２５はさらに、画像処理部１８による処理後の画像信号に対して、撮影画像をファインダ液晶モニタ２０および外部液晶モニタ１９に表示させるための表示データを作成する。ファインダ液晶モニタ２０の表示内容は、接眼レンズ（不図示）を介して観察される。外部液晶モニタ１９の表示内容は、直接観察が可能である。ファインダ液晶モニタ２０および外部液晶モニタ１９は、たとえばＶＧＡ画質（横６４０画素×縦４８０画素）の表示が可能に構成されている。
【００１４】
記録媒体２４は、電子カメラ１に対して着脱可能なメモリカードなどで構成される。記録媒体２４には、ＣＰＵ２５からの指示によって撮影画像のデータおよびその情報を含む画像ファイルが記録インターフェイス(IF)２２を介して記録される。記録媒体２４に記録された画像ファイルは、ＣＰＵ２５からの指示によって記録インターフェイス(IF)２２を介して読み出される。
【００１５】
上記ＣＰＵ２５、バッファメモリ１７、画像処理部１８、外部液晶モニタ１９、ファインダ用液晶モニタ２０、および記録インターフェイス(IF)２２は、それぞれデータバス２３を介して接続されている。
【００１６】
操作部材２６は、不図示の距離環やモード切替操作部材などを含み、各操作に応じた操作信号をＣＰＵ２５へ送出する。半押しスイッチ２８および全押しスイッチ２９は、シャッターボタン２７の押下操作に連動して開閉し、それぞれ半押し操作信号、全押し操作信号をＣＰＵ２５へ送出する。ジャイロセンサ３０は、電子カメラ１の動きを示す角速度を検出し、検出信号をＣＰＵ２５へ送出する。閃光装置３１は、ＣＰＵ２５から送出される指示に応じて発光し、主要被写体を照明する。
【００１７】
＜沈胴機能＞
電子カメラ１は、撮影レンズ１１の鏡筒を筐体内に収容する沈胴機能を備える。図２は、沈胴時の撮影光学系を説明する図である。図２において、ハーフミラー１２の一端にヒンジ１２ａが設けられており、ハーフミラー１２はこのヒンジ１２ａを中心に回動可能に構成される。ハーフミラー１２は、電子カメラ１のメインスイッチ（不図示）がオンされた状態では図１に示される位置へ駆動され、電子カメラ１のメインスイッチ（不図示）がオフされると図２に示される位置へ駆動される。
【００１８】
ハーフミラー１２が図２のように測距素子１５側へ退避すると、ハーフミラー１２の退避によって生じるローパスフィルタ１３および測光・測色素子３３間の空間へ撮影レンズ１１が移動される。これにより、電子カメラ１は、メインスイッチオフ時に小型化が可能になる。
【００１９】
ハーフミラー１２は撮影時（非沈胴時）に測距素子１５との距離が離れるため、ハーフミラー１２にゴミ等が付着している場合でも、当該付着ゴミが測距に影響を与えるおそれがない。さらに、ヒンジ１２ａを中心にハーフミラー１２を回動させる構成としたので、ハーフミラー１２の回動時に測距素子１５へゴミ等を付着させる可能性が少なくなる。
【００２０】
＜ファインダ拡大表示と測距領域との対応＞
撮像素子１４は、たとえば８００万画素を撮像面上に有する。電子カメラ１は、撮像素子１４から最大８００万画素の画像信号を１秒間に３０コマのレートで読み出し（取り込み）可能に構成されている。しかしながら、電子カメラ１がＶＧＡ画質のファインダ液晶モニタ２０に撮影画像の全域を表示させる通常表示時は、上記８００万画素の信号を全て読み出さなくてもよい。この場合のＣＰＵ２５は、撮像素子１４から横６４０画素×縦４８０画素に対応する信号を３０コマ／秒のレートで読み出すように、撮像素子１４を駆動する信号のパルスレートを低く抑えて省電力化を図っている。
【００２１】
撮影画像の一部領域をファインダ液晶モニタ２０の画面上に引き延ばして表示する（所謂拡大表示）場合のＣＰＵ２５は、上記８００万画素の画像信号を１秒間に３０コマのレートで読み出すように、撮像素子１４を駆動する信号のパルスレートを高く変更する。ＣＰＵ２５は、撮影レンズ１１の距離環から操作信号が入力された場合に当該駆動信号のパルスレートを高めるとともに、撮像素子１４から高パルスレートで読み出した画像信号のうち、その時点で選択している測距領域に対応する画像（測距領域を含み、横６４０画素×縦４８０画素で構成される画像）をファインダ液晶モニタ２０に表示させる。なお、外部液晶モニタ１９には、高パルスレートで読み出した画像信号を所定比率で間引くなどして、撮影画像の全域を横６４０画素×縦４８０画素で表示させる。
【００２２】
＜連写と閃光装置の発光＞
上述したように、ハーフミラー１２が図１で示される位置に駆動されていれば、測光・測色素子３３は撮像素子１４が撮像中か否かにかかわらず測光可能である。したがって、撮像素子１４による撮像と並行して測光を行う構成とすれば、撮像中の被写体の光量変化をリアルタイムに検出し、光量変化に応じて露光時間を変更するなどの対処が可能となる。
【００２３】
撮像素子１４による撮像と並行して測光を行うことにより、撮像中の被写体光量をリアルタイムにモニタしながら閃光装置３１による発光量を制御できる。この結果、閃光装置３１による発光量を決定するために、撮影前に閃光装置３１を予備発光（所謂プリ発光）させて被写体からの反射光量を検出する動作を行わなくてもよく、閃光装置３１による電力消費を抑制するとともに、閃光装置３１を使用した連写撮影時の連写速度を上げることも可能になる。
【００２４】
＜連写とＲＡＷデータ＞
電子カメラ１は、画像処理前のディジタルデータをＲＡＷデータとして記録媒体２４に記録するモードの選択が可能に構成されている。ＲＡＷデータを記録するモードで連写を行う場合、ＣＰＵ２５は、一連の連写撮影で取得した画像データをバッファメモリ１７内の所定フォルダに纏めて格納する。
【００２５】
ＣＰＵ２５はさらに、連写終了後、上記所定フォルダ内の１枚の画像（たとえば、連写画像の先頭コマの画像）に対してのみ画像処理を行い、ホワイトバランス・階調・輪郭強調などの調整値を決定する。ＣＰＵ２５は、上記所定フォルダ内の連写画像データと、上記画像処理の調整値を示す情報とを関連付けて記録媒体２４へ記録する。
【００２６】
一般に、一連の連写で取得された画像は被写体の照明条件が大きく変わることが少ない。このため、連写画像のうち１コマの画像を適切に画像処理するパラメータ（画像処理調整値）が得られれば、連写画像を構成する他の画像に対する画像処理に使用しても、適切に画像処理できる可能性が高い。そこで、本実施形態では、連写画像を代表する１コマについてのみ画像処理のパラメータを決定し、連写画像に関連づけて保存することとする。
【００２７】
＜一括記録とスロー再生＆マーキング＞
本実施形態による電子カメラ１は、連写画像を構成する画像に識別情報を付加する動作モード（マーキングモード１と呼ぶ）の選択も可能に構成されている。具体的には、動画像を撮影しながら撮影画像を撮影時より遅いフレームレートでゆっくりと再生表示し、マーキング指示に応じて再生表示中の画像を示す情報を生成する。
【００２８】
図３は、マーキングモード１が選択されたＣＰＵ２５が行う処理の流れを説明するフローチャートである。ＣＰＵ２５は、操作部材２６からマーキングモード１を選択する操作信号が入力されると、図３による処理を起動する。
【００２９】
ステップＳ２０１において、ＣＰＵ２５は、パラメータＮおよびパラメータＭを０にリセットし、ステップＳ２０２へ進む。パラメータＮおよびパラメータＭは、動画像のコマを計数するカウンタとして用いる。ステップＳ２０２において、ＣＰＵ２５は、シャッターボタン２７が半押し操作されたか否かを判定する。ＣＰＵ２５は、半押しスイッチ２８から操作信号が入力されるとステップＳ２０２を肯定判定してステップＳ２０３へ進み、半押しスイッチ２８から操作信号が入力されない場合にはステップＳ２０２を否定判定し、当該判定処理を繰り返す。
【００３０】
半押し操作は連写開始指示に対応する。ステップＳ２０３において、ＣＰＵ２５は、Ｎコマ目〜Ｎ＋５コマ目までの６コマの画像をバッファメモリ１７へ取り込ませ、取り込んだ撮影画像を逐次ファインダ液晶モニタ２０に表示させてステップＳ２０４へ進む。ここでは、撮影画像の取り込みレートを３０コマ/秒とし、ファインダ液晶モニタ２０に同じ３０コマ/秒の表示レートで動画表示させる。
【００３１】
ステップＳ２０４において、ＣＰＵ２５は、外部液晶モニタ１９にＭコマ目の撮影画像を表示させてステップＳ２０５へ進む。撮影画像の６コマに１コマの割合で外部液晶モニタ１９に再生表示させるので、外部液晶モニタ１９の動画表示レートは５コマ/秒となる。このように表示することにより、撮影者がファインダ液晶モニタ２０を観察する場合は動きのある被写体を追い続けることが可能である。また、撮影者が外部液晶モニタ１９を観察する場合はファインダ液晶モニタ２０の表示内容に比べてゆっくりと緩慢に移動する被写体を観察できる。
【００３２】
ステップＳ２０５において、ＣＰＵ２５は、シャッターボタン２７が全押し操作されたか否かを判定する。ＣＰＵ２５は、全押しスイッチ２９から操作信号が入力されるとステップＳ２０５を肯定判定してステップＳ２０６へ進み、全押しスイッチ２９から操作信号が入力されない場合にはステップＳ２０５を否定判定し、ステップＳ２０７へ進む。
【００３３】
ステップＳ２０６において、ＣＰＵ２５は、Ｍコマ目の画像についてのマーキングを施してステップＳ２０７へ進む。マーキングは、たとえば、全押し操作された時点で外部液晶モニタ１９に表示中のコマに対応する画像ファイルのヘッダ部分の所定フラグを「１」にセットすることによって行う。
【００３４】
ステップＳ２０７において、ＣＰＵ２５は、パラメータＮに６を加えてステップＳ２０８へ進む。ステップＳ２０８において、ＣＰＵ２５は、パラメータＭに１を加えてステップＳ２０９へ進む。
【００３５】
ステップＳ２０９において、ＣＰＵ２５は、シャッターボタン２７が半押し継続されているか否かを判定する。ＣＰＵ２５は、半押しスイッチ２８から操作信号が入力されている場合にステップＳ２０９を肯定判定してステップＳ２０３へ戻り、半押しスイッチ２８から操作信号が入力されていない場合にはステップＳ２０９を否定判定し、ステップＳ２１０へ進む。ステップＳ２０３へ戻る場合は連写指示が継続されている場合であり、以上説明した連写撮影（バッファメモリ１７へディジタル化した画像データを記憶させる処理を繰り返してバッファメモリ１７内に画像データを蓄積させる）と動画表示のスロー再生とが繰り返される。
【００３６】
半押し操作の解除は連写終了指示に対応する。ステップＳ２１０において、ＣＰＵ２５は、外部液晶モニタ１９にＭコマ目の撮影画像を表示させてステップＳ２１１へ進む。ステップＳ２０４と同様に、バッファメモリ１７内の撮影画像が外部液晶モニタ１９にスロー再生表示される。ステップＳ２１１において、ＣＰＵ２５は、６コマ分のタイムウェイトをおいてステップＳ２１２へ進む。６コマ分のタイムウェイトは６コマ分の連写撮影に要する時間に相当する。これにより、バッファメモリ１７内に蓄積されており、未だ外部液晶モニタ１９に再生表示されていない撮影画像がスロー再生される。
【００３７】
ステップＳ２１２において、ＣＰＵ２５は、シャッターボタン２７が全押し操作されたか否かを判定する。ＣＰＵ２５は、全押しスイッチ２９から操作信号が入力されるとステップＳ２１２を肯定判定してステップＳ２１３へ進み、全押しスイッチ２９から操作信号が入力されない場合にはステップＳ２１２を否定判定し、ステップＳ２１４へ進む。
【００３８】
ステップＳ２１３において、ＣＰＵ２５は、Ｍコマ目の画像についてのマーキングを施してステップＳ２１４へ進む。マーキングはステップＳ２０６の場合と同様である。ステップＳ２１４において、ＣＰＵ２５は、パラメータＭに１を加えてステップＳ２１５へ進む。
【００３９】
ステップＳ２１５において、ＣＰＵ２５はＮ＝Ｍか否かを判定する。ＣＰＵ２５は、Ｎ＝Ｍが成立する場合にステップＳ２１５を肯定判定して図４のステップＳ２１６へ進み、Ｎ＝Ｍが成立しない場合にはステップＳ２１５を否定判定し、ステップＳ２１０へ戻る。ステップＳ２１６へ進む場合はバッファメモリ１７に蓄積されている撮影画像を全て外部液晶モニタ１９にスロー再生表示した場合である。ステップＳ２１０へ戻る場合はバッファメモリ１７に蓄積されている撮影画像の中に、未だ外部液晶モニタ１９に再生表示されていない画像が存在する場合である。
【００４０】
図４のステップＳ２１６において、ＣＰＵ２５は、バッファメモリ１７に蓄積されている画像のうち、マーキングされた画像のファイルのみを記録媒体２４へ記録してステップＳ２１７へ進む。マーキング画像は、上記画像ファイルのヘッダ部分の所定フラグが「１」にセットされているものである。
【００４１】
ステップＳ２１７において、ＣＰＵ２５は、処理を終了するか／再度画像を表示するか／バッファメモリ１７内のデータの全てを保存するかの判定を行う。ＣＰＵ２５は、操作部材２６からの操作信号に応じて判定を行う。
【００４２】
ＣＰＵ２５は、「再表示」を判定した場合にステップＳ２２０へ進む。ステップＳ２２０において、ＣＰＵ２５はパラメータＭを０にリセットしてステップＳ２２１へ進む。ステップＳ２２１において、ＣＰＵ２５は、外部液晶モニタ１９にＭコマ目の撮影画像を表示させてステップＳ２２２へ進む。ステップＳ２１０と同様に、バッファメモリ１７内の撮影画像が外部液晶モニタ１９に再生表示される。
【００４３】
ステップＳ２２２において、ＣＰＵ２５は、シャッターボタン２７が半押し操作されたか否かを判定する。ＣＰＵ２５は、半押しスイッチ２８から操作信号が入力されるとステップＳ２２２を肯定判定してステップＳ２２３へ進み、半押しスイッチ２８から操作信号が入力されない場合にはステップＳ２２２を否定判定し、ステップＳ２２４へ進む。
【００４４】
ステップＳ２２３において、ＣＰＵ２５は、１５コマ分のタイムウェイトをおいてステップＳ２２５へ進む。１５コマ分のタイムウェイトは１５コマ分の連写撮影に要する時間に相当する。これにより、外部液晶モニタ１９にスロー再生する表示レートが２コマ／秒へさらに遅くされる。
【００４５】
ステップＳ２２４において、ＣＰＵ２５は、６コマ分のタイムウェイトをおいてステップＳ２２５へ進む。この場合は、外部液晶モニタ１９にスロー再生する表示レートが５コマ／秒に維持される。なお、外部液晶モニタ１９にスロー再生表示している間も、リアルタイムで撮像素子１４で撮像され、撮像素子１４から取り込まれたデータによる再生画像をファインダ液晶モニタ２０に表示するように構成されている。
【００４６】
ステップＳ２２５において、ＣＰＵ２５は、シャッターボタン２７が全押し操作されたか否かを判定する。ＣＰＵ２５は、全押しスイッチ２９から操作信号が入力されるとステップＳ２２５を肯定判定してステップＳ２２６へ進み、全押しスイッチ２９から操作信号が入力されない場合にはステップＳ２２５を否定判定し、ステップＳ２２７へ進む。
【００４７】
ステップＳ２２６において、ＣＰＵ２５は、Ｍコマ目の画像についてのマーキングを施してステップＳ２２７へ進む。マーキングはステップＳ２０６の場合と同様である。ステップＳ２２７において、ＣＰＵ２５は、パラメータＭに１を加えてステップＳ２２８へ進む。
【００４８】
ステップＳ２２８において、ＣＰＵ２５はＮ＝Ｍか否かを判定する。ＣＰＵ２５は、Ｎ＝Ｍが成立する場合にステップＳ２２８を肯定判定してステップＳ２１６へ戻り、Ｎ＝Ｍが成立しない場合にはステップＳ２２８を否定判定し、ステップＳ２２１へ戻る。ステップＳ２１６へ戻る場合は、バッファメモリ１７に蓄積されている撮影画像を全て外部液晶モニタ１９に再表示した場合である。ステップＳ２１０へ戻る場合は、バッファメモリ１７に蓄積されている撮影画像の中に、未だ外部液晶モニタ１９に再表示していない画像が存在する場合である。
【００４９】
上述したステップＳ２１７で「全画像保存」を判定したＣＰＵ２５は、ステップＳ２１８へ進む。ステップＳ２１８において、ＣＰＵ２５は、バッファメモリ１７に蓄積されている全画像についての画像ファイル（マーキングされている画像のファイルを含む）を記録媒体２４へ記録し、図４による処理を終了する。マーキング画像のファイルは識別情報（上記フラグが対応）を含むので、複数の画像ファイルからマーキング画像のファイルを選ぶ際のブックマークとして利用できる。また、バッファメモリ１７内の蓄積データは保存しない。
【００５０】
上述したステップＳ２１７で「終了」を判定したＣＰＵ２５は、ステップＳ２２９へ進む。ステップＳ２２９において、ＣＰＵ２５は、バッファメモリ１７に蓄積されている画像のうち、マーキングされている画像のファイルのみを記録媒体２４へ記録し、図４による処理を終了する。マーキングされた画像のファイルが存在しない場合は、記録媒体２４へ何も記録しない。また、バッファメモリ１７内の蓄積データは保存しない。
【００５１】
上述したステップＳ２１７で再び「再表示」を判定した場合のＣＰＵ２５は、ステップＳ２２０〜ステップＳ２２８の処理を繰り返す。先にマーキングされた画像が再度マーキング指示される場合、本実施形態では既存の識別情報を残しておき、識別情報のリセットは行わない。
【００５２】
以上説明した第一の実施形態によれば、以下の作用効果が得られる。
（１）撮影画像をバッファメモリ１７に３０コマ／秒で蓄積しながら、同時に蓄積画像を外部液晶モニタ１９に５コマ／秒でスロー再生したので、たとえば、Ｆ１レースにおけるゴールの瞬間をとらえたコマの画像にマーキングしたい場合などに、撮影中のスローモーション画像を確認しながらマーキング指示（シャッターボタン２７の全押し操作）を行うことができる。これにより、マーキングすべき対象画像を確実に特定し、識別情報を生成できる。
【００５３】
（２）生成された識別情報によって示される画像のファイルのみを記録媒体２４に記録し、バッファメモリ１７内の蓄積データは保存しないようにしたので（ステップＳ２１６、ステップＳ２２９）、全画像を記録媒体２４に記録する場合に比べて記録媒体２４の使用容量を抑えることができる。
【００５４】
（３）識別情報を生成するためのマーキング指示は、シャッターボタン２７を用いて行われる構成にしたので（ステップＳ２０６、Ｓ２１３、Ｓ２２６）、通常の写真撮影操作と違和感がなく、使い勝手がよい。
【００５５】
（４）スロー再生のスピードを２コマ／秒と５コマ／秒とで選択可能（ステップＳ２２２）にしたので、マーキングすべき対象画像の特定がさらに容易となる。
【００５６】
（５）スロー再生スピードの選択指示は、シャッターボタン２７を用いて行われる構成にしたので（ステップＳ２２２）、通常の写真撮影操作と違和感がなく、使い勝手がよい。
【００５７】
（変形例１）
バッファメモリ１７に蓄積されている画像を外部液晶モニタ１９にスロー再生している状態で、操作部材２６を構成するダイヤル部材（不図示）からの操作信号に応じて、スロー再生中の画像のコマ送りおよびコマ戻しを行うように構成してもよい。
【００５８】
（変形例２）
スロー再生時には、あらかじめ指示された箇所を中心に撮影画像の一部領域を外部液晶モニタ１９の画面上に引き延ばして表示（拡大表示）する構成としてもよい。この場合、スロー再生される全てのコマの撮影画像について、共通する領域を拡大表示させるのが好ましい。また、ファインダ液晶モニタ２０と外部液晶モニタ１９との表示内容を上述した表示内容と逆にしてもよい。
【００５９】
（変形例３）
識別情報の生成例としてファイルのヘッダフラグを用いる方法を例示したが、マーキングすべき対象画像のファイル名もしくは当該ファイルの格納場所を示す情報を画像データファイルと別の管理用ファイルに記録し、この管理用ファイルを識別情報として扱う構成としてもよい。
【００６０】
（第二の実施形態）
電子カメラ１は、連写画像を構成する画像に識別情報を付加する他の動作モード（マーキングモード２と呼ぶ）の選択も可能に構成されている。具体的には、動画像を撮影してから、撮影画像を撮影時より遅いフレームレートでゆっくりと再生表示し、マーキング指示に応じて再生表示中の画像を示す情報を生成する。
【００６１】
図５は、マーキングモード２が選択されたＣＰＵ２５が行う処理の流れを説明するフローチャートである。ＣＰＵ２５は、操作部材２６からマーキングモード２を選択する操作信号が入力されると、図５による処理を起動する。
【００６２】
ステップＳ１０１において、ＣＰＵ２５は、パラメータＮおよびパラメータＭを０にリセットし、ステップＳ１０２へ進む。パラメータＮおよびパラメータＭは、動画像のコマを計数するカウンタとして用いる。ステップＳ１０２において、ＣＰＵ２５は、シャッターボタン２７が全押し操作されたか否かを判定する。ＣＰＵ２５は、全押しスイッチ２９から操作信号が入力されるとステップＳ１０２を肯定判定してステップＳ１０３へ進み、全押しスイッチ２９から操作信号が入力されない場合にはステップＳ１０２を否定判定し、当該判定処理を繰り返す。
【００６３】
全押し操作は連写開始指示に対応する。ステップＳ１０３において、ＣＰＵ２５は、Ｎコマ目の画像をバッファメモリ１７へ取り込ませてステップＳ１０４へ進む。ここでは、撮影画像の取り込みレートを３０コマ/秒とする。
【００６４】
ステップＳ１０４において、ＣＰＵ２５は、外部液晶モニタ１９およびファインダ液晶モニタ２０にＮコマ目の撮影画像を表示させてステップＳ１０８へ進む。動画表示レートは、取り込みレートと同じ３０コマ/秒である。ステップＳ１０８において、ＣＰＵ２５は、パラメータＮに１を加えてステップＳ１０９へ進む。
【００６５】
ステップＳ１０９において、ＣＰＵ２５は、シャッターボタン２７の全押し操作が継続されているか否かを判定する。ＣＰＵ２５は、全押しスイッチ２９から操作信号が継続して入力されている場合にステップＳ１０９を肯定判定してステップＳ１０３へ戻り、全押しスイッチ２９から操作信号が入力されていない場合にはステップＳ１０９を否定判定し、ステップＳ１１９へ進む。
【００６６】
全押し操作の解除は連写終了指示に対応する。ステップＳ１１９〜ステップＳ１３０の処理は、図４におけるステップＳ２１７〜ステップＳ２２９の処理と同様なので説明を省略する。第二の実施形態によれば、連写終了後にスロー再生表示およびマーキング指示が可能にされる。
【００６７】
以上説明した第二の実施形態によれば、次の作用効果が得られる。
（１）撮影画像をバッファメモリ１７に３０コマ／秒で蓄積しておき、連写終了指示されてから蓄積画像を外部液晶モニタ１９にスロー再生するようにしたので、連写中は被写体を逃さないように撮影動作に集中できる。
【００６８】
（２）連写終了指示後（ステップＳ１０９を否定判定）は、バッファメモリ１７に蓄積されている画像を外部液晶モニタ１９にスロー再生したので、第一の実施形態と同様に、スローモーション画像を確認しながらマーキング指示（シャッターボタン２７の全押し操作）を行うことができる。この結果、マーキングすべき対象画像を確実に特定し、識別情報を生成できる。
【００６９】
（変形例４）
マーキングモード１およびマーキングモード２においては、閃光装置３１の発光を禁止するのが好ましい。ＣＰＵ２５は、マーキングモード１またはマーキングモード２が選択された場合に閃光装置３１を発光させない。これにより、マーキングモード中の連写画像を構成する一連の画像の中に、閃光装置３１を発光したコマの画像と閃光装置３１を発光していないコマの画像との混在を避けることができる。
【００７０】
以上の説明はあくまで一例であり、上記の実施形態の構成に何ら限定されるものではない。
【図面の簡単な説明】
【００７１】
【図１】本発明の第一の実施形態による電子カメラを説明する図である。
【図２】沈胴時の撮影光学系を説明する図である。
【図３】マーキングモードにおいてＣＰＵが行う処理の流れを説明するフローチャートである。
【図４】マーキングモードにおいてＣＰＵが行う処理の流れを説明するフローチャートである。
【図５】第二の実施形態のマーキングモードにおいてＣＰＵが行う処理の流れを説明するフローチャートである。
【符号の説明】
【００７２】
１…電子カメラ
１４…撮像素子
１７…バッファメモリ
１９…外部液晶モニタ
２０…ファインダ液晶モニタ
２２…記録インターフェイス(IF)
２４…記録媒体
２５…ＣＰＵ
２６…操作部材
２７…シャッターボタン
２８…半押しスイッチ
２９…全押しスイッチ
【図１】
0005140939.tif 000002
【図２】
0005140939.tif 000003
【図３】
0005140939.tif 000004
【図４】
0005140939.tif 000005
【図５】
0005140939.tif 000006